【手続補正書】
【提出日】平成18年3月22日(2006.3.22)
【手続補正１】
【補正対象書類名】特許請求の範囲
【補正対象項目名】全文
【補正方法】変更
【補正の内容】
【特許請求の範囲】
【請求項１】
ハリス（４）を介して各釣針が取り付けられた延縄（３）が、延縄容器（１２）内のロープ収容部（３７）内に整列されるよう準備するとともに、餌付き釣針（５）を、前記ロープ収容部（３７）に隣接する餌付き釣針収容部（１６）へ収納する、延縄の餌付き釣針（５）を餌付け機（６）から延縄容器（１２）へ移送する方法において、
前記延縄（３）を、案内ディスクによって前記餌付け機から主として水平方向に搬送し、前記ロープ収容部（３７）へ落下すると共に、前記餌付き釣針（５）を初期操作においてホルダ（８）へ移送し、該ホルダを主として水平方向に前記延縄容器（１２）上の終端位置迄移動すると共に、排出ブレード（１５）によって前記餌付き釣針（５）を前記ホルダ（８）外に排出して前記延縄容器（１２）の餌付き釣針収容部（１６）内に落下させることを特徴とする方法。
【請求項２】
前記餌付き釣針を、前記餌付け機（６）に固定された第１案内ケーシング（７）を介して前記ホルダ（８）内へ引き込むと共に、該引き込み時、前記ハリス（４）に前記第１案内ケーシング（７）のスロットを貫通させ、かつ前記案内ケーシング（７）の餌付き釣針（５）用の出口を前記ホルダ（８）の対応する入口と同じ高さとしたことを特徴とする請求項１記載の方法。
【請求項３】
前記ホルダ（８）が前記延縄容器（１２）上の終端位置にあるとき、排出ブレード（１５）が餌付き釣針（５）を、第２案内ケーシング（１３）を通過させてホルダー外に排出し、餌付き釣針収容部（１６）内に押し込むことを特徴とする請求項１または２記載の方法。
【請求項４】
前記終端位置に対する前記ホルダ（８）の移動が、ピストン／シリンダユニットにより行われると共に、前記ホルダ（８）が前記ピストンのロッドに取り付けられていることを特徴とする請求項１〜３いずれか１項記載の方法。
【請求項５】
前記ホルダの移動が、前記案内ディスク（１）による延縄（３）の搬送によってハリス（４）に生じた張力により補助されていることを特徴とする請求項１〜４いずれか１項記載の方法。
【請求項６】
前記ホルダの周壁（２２）に形成され、垂直で、直線状であると共に、前記餌付き釣針が通過できない貫通スロット（１７、２７）の１つを貫通したハリスを引っ張ることにより、前記餌付きの釣針（５）を前記ホルダ（８）内に収容することを特徴とする請求項１〜５いずれか１項記載の方法。
【請求項７】
底部が開放されたホルダを使用し、前記ハリスをスロット（１７、２７）から押し出すに当たり、前記餌付き釣針を前記開放されたホルダの底部を介して垂直に押し出すことを特徴とする請求項１〜６いずれか１項記載の方法。
【請求項８】
前記餌付きの釣針（５）と前記ハリス（４）を、断面において前記ホルダ（８）内のスロット（１７、２７）と室（２６）のそれぞれの断面に対応している垂直な貫通スロット（１８、２８）および通路を有する第２の案内ケーシング（１３）を介して前記ホルダから前記延縄容器（１２）に移送することを特徴とする請求項１〜７いずれか１項記載の方法。
【請求項９】
所定角度で回転する回転テーブルを使用して、所定数の餌付き釣針（５）を先行する餌付き釣針収容隔室（１６’）に移送し、新しい餌付き釣針収容隔室（１６’）の位置へ前記延縄容器（１２）を回転することを特徴とする請求項１〜８いずれか１項記載の方法。
【請求項１０】
ハリス（４）を介して各釣針が取り付けられた延縄（３）が、延縄容器（１２）内のロープ収容部（３７）内に整列されるよう準備するとともに、餌付き釣針（５）を、前記ロープ収容部（３７）に隣接する餌付き釣針収容部（１６）へ収納する、延縄の餌付き釣針（５）を餌付け機（６）から延縄容器（１２）へ移送する装置において、
前記餌付け機からの前記餌付きの釣針（５）を捕捉するように構成され、前記延縄容器（１２）の真上の終端位置に向かって主として水平方向に搬送されるように構成されたホルダ（８）と、
前記餌付き釣針（５）を前記ホルダ（８）外に搬出し、前記延縄容器（１２）の前記餌付き釣針収容部（１６）内に落下させる排出ブレード（１５）を備えることを特徴とする装置。
【請求項１１】
前記餌付き釣針（５）用の前記ホルダ（８）が、該ホルダ（８）を前記終端位置に移動するピストン／シリンダユニットのピストンロッド（１１）に取り付けられていることを特徴とする請求項１０記載の装置。
【請求項１２】
前記ホルダ（８）が、上部及び下部を開放するハウジングを構成するプレート、およびピストンロッド（１１）の端部が取り付けられたフラップにより構成されており、かつ周壁（２２）にハリス（４）を貫通できるように構成されている垂直で真直ぐな貫通スロット（１７、２７）を備えると共に、前記ハウジングの内端（２５）を開放してホルダ（８）への入口が形成されていることを特徴とする請求項１０または１１記載の装置。
【請求項１３】
前記餌付け機（６）に固定され、前記ハリス（４）が貫通できる長手のスロットを備え、かつピストンロッド（１１）が後退位置にあるとき、餌付き釣針（５）の第１の案内ケーシング（７）からの出口が、前記ホルダ（８）における上記ハウジングの開口部（２５）と同じ高さにある、前記餌付き釣針（５）用の前記案内ケーシング（７）を設けたことを特徴とする請求項１０〜１２いずれか１項記載の装置。
【請求項１４】
前記餌付き釣針（５）と前記ハリス（４）が、前記ホルダのスロット（１７、２７）に対応する垂直の貫通スロット（１８、２８）を有する案内ケーシング（１３）を介して、前記ホルダ（８）から前記延縄容器（１２）へ移送されることを特徴とする請求項１０〜１３いずれか１項記載の装置。
【請求項１５】
前記ホルダ内のスロット（１７、２７）および室（２６）のそれぞれの断面に連続し、／同形状の断面を有する垂直の貫通スロット（１８、２８）および通路を有する第２案内ケーシング（１３）を設け、
前記ホルダ（８）を、その終端位置において前記案内ケーシング（１３）と連続させることを特徴とする請求項１０〜１４いずれか１項記載の装置。
【請求項１６】
前記延縄容器（１２）を所定角度で回転する回転テーブル上に配置し、所定数の餌付き釣針（５）を先行する餌付き釣り針収容隔室（１６’）に移送すると前記容器（１２）が新しい餌付き釣り針収容隔室（１６’）の位置に回転することを特徴とする請求項１０〜１５いずれか１項に記載の装置。
【手続補正２】
【補正対象書類名】明細書
【補正対象項目名】全文
【補正方法】変更
【補正の内容】
【発明の詳細な説明】
【発明の名称】延縄容器内に延縄を餌付きで整列するための装置及び方法
【発明の詳細な説明】
【０００１】
本発明は、延縄の釣針を餌付きで餌付け機から延縄容器に移送するための方法であって、ハリスを介して釣針が取り付けられた延縄が、延縄容器内の延縄室内に収容されるよう準備するとともに、餌付き釣針を延縄室に隣接する餌付き釣針室へ収容する方法に関する。また、本発明は、この方法を実施するための装置に関する。
【０００２】
従来から、ハリスによって延縄に取り付けられた釣針を備えた、餌付きの延縄の取り扱いを自動化するために種々の試みがなされてきたが、これらの試みでは餌の付いた釣針を延縄容器内の適切な位置に整列する操作を信頼性をもって行うことのできるシステムを実現することはできなかった。
【０００３】
本発明の目的は、ハリスを介して餌付き釣針を有する延縄を収容容器に配列するための新規で信頼性をもって操作のできるシステムを提供することである。
【０００４】
本発明による方法の特徴とするところは、案内装置を介して延縄が餌付け機から延縄室へ案内されるとき、餌付き釣針は、同時に第１の初期操作においてホルダへ移送される。その際、餌付き釣針ホルダを延縄容器の真上にある中間ステーションに配置しておくか、または前記ホルダをこのような中間ステーションに移送し、その後案内装置により、餌付き釣針をホルダから延縄容器内の餌付き釣針収容室へ移送することにある。
【０００５】
本発明による方法の好ましい実施例を請求項２から９に説明する。
【０００６】
本発明による装置の特徴とするところは、餌付き釣針を餌付け機から収集するように構成されたホルダが設けられており、餌付き釣針を収容した前記ホルダは中間ステーションの位置にあるか、または中間ステーションに移送されるように構成されており、案内装置が、餌付き釣針をホルダから延縄容器内の餌付き釣針収容室への移送を補助するように構成されていることにある。
【０００７】
本発明の装置の好ましい実施形態の特徴を、請求項１１から１７に説明する。
【０００８】
本発明のさらに詳細な説明を以下、添付図面を参照して行う。
【０００９】
図１から図３に示す装置は、延縄のハリス４に取り付けられた餌付き釣針５を餌付け機６から延縄容器１２へ移送するシステムを含む。この移送工程は、次の２つの段階を経て行われる。
【００１０】
第１段階では、ホルダ８に、餌付き釣針５を取り付け、次いで、ホルダ８を、餌付き釣針５が延縄容器１２に収容される位置のほぼ真上（垂直方向）の中間位置に移動する。あるいは、ホルダは上記の中間位置にすでに配置されていてもよい。この場合、ホルダはさらにそれ以上移動しなくてもよい。
【００１１】
第２段階では、餌付き釣針５をホルダから好ましくは下方に向かって垂直に延縄容器１２内の収容場所に排出する。
【００１２】
図面に餌を延縄システムの各釣針５に取り付ける餌付け機６を略示する。延縄容器１２の端縁の真上に配置されたＶ溝の形状を有する回転延縄ディスク１上を延縄３が主として水平に移送される。ばねで付勢された圧接ホイール２が、延縄３がＶ溝に移動するとき、延縄３を緊張状態に維持するのを助ける。また、この圧接ホイール２は、延縄を、延縄ディスクを介して餌付け機から引き出して容器１２内のロープ収容部３７に移動させるのを助ける。延縄ディスク１は、延縄３が延縄ディスク１を抜け出たときに、容器１２内のロープ収容部３７に落下してくるように配置されている。
【００１３】
延縄３に対する各ハリス４の取り付け位置が、位置９によって示されている。図２（平面断面図）で示すように、餌付き釣針５は実際の延縄３からある距離を置いて前方に移送される。そのためハリスは、釣針から傾斜して延縄３の連結具９の方に（できれば僅か上方に）延びている。
【００１４】
ホルダ８は、実際の餌付け機６に関連して取付部材上に取付けられている。ホルダは、餌付き釣針５を捕捉し保持するよう配設され、延縄３の引き取りと同じ速度で容器の方向に向かって移動する。
【００１５】
ホルダ８は、ピストン／シリンダユニットのピストンロッド１１の端部に固定されており、シリンダユニット（図示せず）は、餌付け機のハウジングに固定されている。
【００１６】
ホルダ８（図４Ｂ参照）は、同じ距離を置いて配列されている平行及び垂直なプレート２１、２３、２２、１９から成る四辺形の枠組みで構成されている。これは、開いた上部および下部を備えた内側の室２６を有するハウジングを形成する。端壁（周壁２２）の一方が２つの同じ高さの垂直で真直ぐな貫通スロット１７、２７によって２つの部分に分割される。最も内側のスロット２７は、周辺の最も外側のスロット１７よりも幅広である。他方の端壁は、ピストンロッド１１の外側端が取り付けられたフラップ状のプレート１９として形成されている。しかしこのフラップ１９は、平行なプレートより下方に下向きに延在しており、これによりハウジングの最も内側の端（２５）も開放されており、かつ餌付き釣針がホルダ８へ向かう入口を形成している。
【００１７】
これは餌付き釣針５が、ハウジング内に引き込まれるとき、ハリス４がスロット１７内に入り、そしてスロット１７から出て行くことを示している。しかし、スロット１７は、ハリスが取り付けられた釣針のアイ（eye）より幅が狭いのでこのアイが後壁に向かって引っ張られ／ぶつかると、釣針の動きは停止する。これは、図４Ｂに示してあり、図４Ｂには、室２６内に位置付けられた餌付き釣針５の状態が示されている。釣針のアイに至る軸部分は、より広いスロット２７の中に位置し、ハリスはホルダ８から延縄３上の連結具９に向かってスロット１７を貫通する。
【００１８】
餌付き釣針５は、案内ケーシング７を介して餌付け機６からホルダ８へ移送される。案内ケーシング７は、ハリスが貫通するに十分な幅のスロットを上部に有しており、ハリスが案内ケーシング７内の餌付き釣針５を引っ張ることができる。
【００１９】
組み立てられたホルダ８が取り付けられたピストンロッド１１が後退位置にあるとき、案内ケーシングの端の開口部は、ホルダ８内の室２６の開口部２５と同じ高さにある。延縄３とハリス４にかかる張力が、餌付き釣針を案内ケーシングから引き出し、ホルダ８内の室２６に直接引き入れる。そして、ハリス４はスロット１７を通過するが、アイを備えた釣針の軸はスロット２７内に残る。ホルダは底部が開いていても、ハリスにかかる張力が十分あり室２６内の位置に餌付き釣針を維持する。スロット１７／２７を介して餌付き釣針を垂直方向に引くことによって、餌付き釣針をホルダから取出すことがはじめて可能となる。
【００２０】
餌付き釣針５がホルダ８内に配列されているとき、ホルダ８に取り付けたセンサ１０がこれを記録し、ホルダの端部に配置されかつ容器１２の端縁の上側面に向かって前方にホルダ８を移動させるピストンロッド１１を始動させる。同時に、延縄ディスク１が延縄３を引っ張り、延縄３に軽い張力を発生させる。また、引っ張られたハリス４は、ホルダ８に餌付き釣針が取り付けられた状態で容器に向かって前方にホルダを移動させるのを補助する。
【００２１】
餌付き釣針５がホルダ８に入るとき、つまりハリス４と延縄３との間のコネクタ９が延縄ディスク１の前方（上流）にあるとき、張力がハリス４に連続してかかるようにホルダ８を配置することが重要である。連結具９が延縄ディスクを通過するとき、連結具９は方向を水平方向から垂直方向に変え、ホルダ内の餌付き釣針にかかる張力を一時的に緩和させる。
【００２２】
ピストンロッド１１がその端部位置に達したとき、ホルダが容器１２の上に配設された固定案内ケーシング１３の上部と同じ高さに位置するようホルダが容器に向かって前方に押し出される。
【００２３】
餌付き釣針５をホルダ８から下方に押し出すために、排出ブレードが容器の端に配設されている。この排出ブレードはピストンロッド１１がその端部位置に達したときに始動する。
【００２４】
排出ブレードは、ピストンロッド１４’を有する第２シリンダ１４を含み、餌付き釣針５を下部にある案内ケーシング１３を介してホルダ８から容器１２の餌付き釣針収容部１６に向けて押し出す。餌付き釣針収容部１６の餌付き釣針収容隔室１６’が、容器１２の端縁の周囲に均等に配設されている。延縄３（ロープとも記載される）が、容器１２内のロープ収容部３７にコイル状に収容される。
【００２５】
また、案内ケーシング１３は、同じ位置に２つの垂直方向の貫通スロット１８、２８（図１Ｃを参照）を有しており、ハリス４と排出ブレード１５がこれを貫通する。案内ケーシング１３は、スロット１７、２７およびスロット１８、２８が同位置となるよう底部のないホルダ８の真下に配設される。また、第２案内ケーシング１３は、排出ブレード１５が下方に移動しホルダ８内の餌付き釣針を押すとき、ホルダ８を安定させるのを助ける。
【００２６】
ピストンロッド１４’の下端部には、各スロット１７、２７およびスロット１８、２８の幅より僅かに薄い、延長されたブレード形状の事実上の排出ブレード１５が備えられている。ブレードは、押し下げられたとき、スロット１７、２７およびスロット１８、２８にそれぞれ正確に嵌まるように縁を立てて取り付けられている。
【００２７】
排出ブレード１５が作動して、その前方にある餌付き釣針を、案内ケーシングを介してホルダから押し出して餌付き釣針収容隔室１６’のうちの１つに押し込む。餌付き釣針が格納されたとき、排出ブレード１５はその最も低い位置に達しており、次に案内ケーシング１３を介して後退する。このとき、ピストンロッド１１の端部上のホルダ８が上述したように新しい餌付き釣針５を捕捉するために既に後退している。
【００２８】
延縄容器１２の形状は円形であり、また、中央のロープ収容部３７および放射状の隔室によって餌付き釣針５のための複数の餌付き釣針収容隔室１６’に分離されたリングの形状をした外部収容部１６とを含んでいる。各餌付き釣針収容隔室１６’内の内壁は、ハリスを通すことのできる垂直なスロット２９を備えている。図２および図８Ｂを参照のこと。
【００２９】
次に、餌付け機から延縄容器への移送工程を実行するための種々の段階を、添付図面を参考にして簡単に考察する。
【００３０】
図１から図３までは、餌付き釣針５がホルダ８に入る直前の状態を示している。
【００３１】
図４Ａおよび図４Ｂは、餌付き釣針５が、ホルダ８に入った後の状態を示す。この場合、ハリス４に張力がかかるようにハリス４と延縄３との間の連結具９が、延縄ディスク１の前方にあることに留意することが重要である。センサ１０が、餌付き釣針が適切な位置にあることを記録し、ピストンロッド１１を始動させる。図６Ａを参照のこと。
【００３２】
図５は、ホルダ８のピストンロッド１１が移動を開始してその後移動を続けている状態を示している。シリンダが移動するとき、コネクタ９が延縄ディスク１の外に出ているのでハリス４にかかる張力は減少する。
【００３３】
図６Ａおよび図６Ｂは、ピストンロッド１１がその端部に達したときの状態を示している。ここでは、ホルダ８は案内ケーシング１３上に移動しており、排出ブレード１５を有するピストンロッド１４’が、餌付き釣針５を容器１２内の餌付き釣針収容部１６に押し込む工程を開始できる準備状態にある。
【００３４】
図７および図８は、排出ブレード１５を有するピストンロッド１４’が、餌付き釣針５をホルダ８から案内ケーシング１３を介して容器１２内の餌付き釣針収容部１６に押し込む工程を終了したときの状態を示している。中央のロープ収容部は、図２の位置３７として示されている。
【００３５】
排出ブレード１５がホルダ８から餌付き釣針５を押し出したとき、ピストンロッド１１はホルダ８内において新しい餌付き釣針５の位置決め開始位置に戻ることができる。ピストンロッド１４’はその端部に達したとき戻る。ここで、餌付き釣針を容器１２の分割された餌付き釣針収容隔室１６’に移送する作業が終了し、システムは新しい作業サイクル開始の状態にある。
【００３６】
容器１２は、所定角で回転する回転テーブル（図示せず）上に配置されているが、これは所定数の餌付き釣針５がいったん先行する餌付き釣針収容隔室１６’に移送されると、容器は新しい餌付き釣針収容隔室１６’へ回転することができるようにするためである。
【００３７】
本発明は、ハリスを有する延縄に餌付けをする工程の自動化の著しい改良を提供するものである。
【図面の簡単な説明】
【００３８】
【図１Ａ】延縄容器内でのハリスにつけられた餌付きの釣針の位置決めに関連した、本発明に従った装置の斜視図を示す。
【図１Ｂ】釣針をホルダ（８）へ案内する工程の詳細図を示す。
【図１Ｃ】ハリス／釣針を延縄容器に案内する装置に関連した、図１の拡大詳細図を示す。
【図２】図１に示す装置の平面図を示す。
【図３】図１に示す装置の側面図を示す。
【図４Ａ】図３の拡大側面図を示す。
【図４Ｂ】ホルダ（８）の拡大斜視図を示す。
【図５】中間位置にある図４のホルダの拡大詳細図を示す。
【図６Ａ】移送装置を有する延縄容器および餌付き釣針の位置決めのための装置に関連した、図３の詳細側面図を示す。
【図６Ｂ】餌付き釣針をさらに下方に（次の段階で）移送する位置にあるホルダの斜視図を示す。
【図６Ｃ】図６Ａに従った位置にあるホルダの拡大斜視図を示す。
【図７】延縄容器の更なる詳細を示す。
【図８Ａ】延縄容器の更なる詳細を示す。
【図８Ｂ】延縄容器の更なる詳細を示す。
【手続補正３】
【補正対象書類名】図面
【補正対象項目名】全図
【補正方法】変更
【補正の内容】
【図１Ａ】
2005519626.tif 000001
【図１Ｂ】
2005519626.tif 000002
【図１Ｃ】
2005519626.tif 000003
【図２】
2005519626.tif 000004
【図３】
2005519626.tif 000005
【図４Ａ】
2005519626.tif 000006
【図４Ｂ】
2005519626.tif 000007
【図５】
2005519626.tif 000008
【図６Ａ】
2005519626.tif 000009
【図６Ｂ】
2005519626.tif 000010
【図６Ｃ】
2005519626.tif 000011
【図７】
2005519626.tif 000012
【図８Ａ】
2005519626.tif 000013
【図８Ｂ】
2005519626.tif 000014